(57)【要約】【課題】ケースの防水性および強度を確保しつつ、電線をケースに固定することの出来る、新規な構造の電気接続箱を提供すること。【解決手段】ケース１２の電線取出口１４における壁部１８の内面２０に、電線５６を保持する電線保持具４０の台座部４４が差し込まれて固定される台座固定溝２４を穴を開けることなく形成すると共に、該台座固定溝２４にスリット３０を形成し、前記電線保持具４０において前記電線５６に固定された電線固定部４２を前記スリット３０に挿通して前記台座固定溝２４から突出するようにした。【選択図】図１
2014110688.tif 000002
【特許請求の範囲】
【請求項１】
電線を保持する電線保持具がケースに組み付けられることにより、該電線が前記ケースに固定される電気接続箱において、
前記ケースにおいて前記電線が取り出される電線取出口の壁部の内面には、前記電線保持具の台座部が差し込まれて固定される台座固定溝が形成されており、該台座固定溝には、前記電線保持具において前記電線に取り付けられる電線固定部が挿通されて前記台座固定溝の外部に突出されるスリットが形成されている
ことを特徴とする電気接続箱。
【請求項２】
前記台座固定溝の内面には、該台座固定溝の延出方向に延びる圧接リブが形成されている
請求項１に記載の電気接続箱。
【請求項３】
前記台座固定溝が、前記電線の延出方向に直交して延出されている
請求項１又は２に記載の電気接続箱。
【請求項４】
前記台座固定溝が鉛直下方に開口されており、前記台座部が鉛直下方から差し込まれるようになっている
請求項１〜３の何れか１項に記載の電気接続箱。
【発明の詳細な説明】
【技術分野】
【０００１】
本発明は、自動車等に搭載される電気接続箱に係り、特に、電線がケースに固定される電気接続箱に関するものである。
【背景技術】
【０００２】
良く知られているように、自動車等に搭載されるジャンクションボックス等の電気接続箱においては、電気接続箱に接続されたワイヤハーネス等の電線が、ケースに設けられた電線取出口を通じてケースの外部に取り出されている。
【０００３】
ところで、電気接続箱に接続される電線は、他部材との干渉を回避したり、カバーを組み付ける際に挟み込まれることを防止する等のために、ケースに固定されることがある。例えば、特開平９−１８１７２号公報（特許文献１）に記載のとおり、電線保持具に設けられたクリップや結束バンド等からなる電線固定部を電線に取り付けて、電線保持具のクランプを、ケースに貫設したクランプ穴に差し込んで固定することが行われている。
【０００４】
ところが、特許文献１に記載の如き構造では、電線保持具のクランプを差し込むクランプ穴をケースに貫設することから、クランプ穴を通じてケースの内部に水が浸入するおそれがあり、ケースの防水性を低下するという問題があった。なお、ケースの防水性を確保するために、ケースの内側に存する内壁にクランプ穴を貫設することも考えられるが、内壁の強度が低下するおそれもあることから、必ずしも有効な方策ではなかった。
【先行技術文献】
【特許文献】
【０００５】
【特許文献１】特開平９−１８１７２号公報
【発明の概要】
【発明が解決しようとする課題】
【０００６】
本発明は、上述の事情を背景に為されたものであって、その解決課題は、ケースの防水性および強度を確保しつつ、電線をケースに固定することの出来る、新規な構造の電気接続箱を提供することにある。
【課題を解決するための手段】
【０００７】
本発明の第一の態様は、電線を保持する電線保持具がケースに組み付けられることにより、該電線が前記ケースに固定される電気接続箱において、前記ケースにおいて前記電線が取り出される電線取出口の壁部の内面には、前記電線保持具の台座部が差し込まれて固定される台座固定溝が形成されており、該台座固定溝には、前記電線保持具において前記電線に取り付けられる電線固定部が挿通されて前記台座固定溝の外部に突出されるスリットが形成されていることを、特徴とする。
【０００８】
本発明に従う構造とされた電気接続箱においては、ケースにおける電線取出口の壁部の内面に形成された台座固定溝に、電線保持具の台座部を差し込んで固定することが出来る。これにより、ケースに穴を開けることなく、電線保持具をケースに取り付けることが出来る。その結果、ケースの防水性を確保しつつ、電線をケースに固定することが出来る。
【０００９】
そして、ケースの壁部に穴を開けないことから、壁部の強度を確保することが出来る。これにより、ケースの端部に形成されることから、強度が低下するおそれのある電線取出口でも、強度を確保しつつ電線を固定することが出来る。また、台座固定溝が電線取出口の壁部の内面に形成されており、電線保持具が電線取出口の内部に配設されることから、電線取出口の外形寸法を増大することなく、スペース効率良く電線をケースに固定することが出来る。
【００１０】
さらに、電線保持具として、従来から電線の固定に用いられているものを利用することが出来、製造コストの低減を図ることが出来る。なお、電線保持具において、電線に固定される電線固定部は、所謂タイバンドのような可撓性を有するものでも良いし、ヒンジで開閉可能とされた筒状のクリップ等でも良い。
【００１１】
本発明の第二の態様は、前記第一の態様に記載のものにおいて、前記台座固定溝の内面には、該台座固定溝の延出方向に延びる圧接リブが形成されているものである。
【００１２】
本態様によれば、電線保持具の台座部を圧接リブに圧接させて台座固定溝に圧入することで、簡易な構造で、台座部を台座固定溝内に固定することが出来る。なお、より好ましくは、前記圧接リブが、該台座固定溝の開口部を除いて形成される。このようにすれば、台座固定溝への電線保持具の差し込みの起点となる開口部の開口寸法を確保することが出来て、電線保持具の差し込みの容易性を確保することが出来る。
【００１３】
本発明の第三の態様は、前記第一又は第二の態様に記載のものにおいて、前記台座固定溝が、前記電線の延出方向に直交して延出されているものである。
【００１４】
本態様によれば、電線保持具が、台座固定溝の内面によって、電線が変位し易い延出方向で係止される。これにより、電線の保持力を効果的に得ることが出来て、電線をより安定的に固定することが出来る。
【００１５】
本発明の第四の態様は、前記第一〜第三の何れか１つの態様に記載のものにおいて、前記台座固定溝が鉛直下方に開口されており、前記台座部が鉛直下方から差し込まれるようになっているものである。
【００１６】
本態様においては、台座固定溝が鉛直下方に開口されていることから、台座固定溝への水入りのおそれを低減することが出来る。また、ケースが鉛直下方に開口するアッパケースと、鉛直下方からアッパケースに組み付けられるロアケースとを含んで構成されて、該アッパケースに前記台座固定溝が形成される場合には、アッパケースの開口方向と台座固定溝の開口方向が等しくされることから、台座固定溝の成形が容易になると共に、電線保持具の差し込み作業を容易にすることが出来る。そして、電線をアッパケース側で保持することにより、ロアケースの組み付けを容易にすることが出来る。
【発明の効果】
【００１７】
本発明においては、ケースにおける電線取出口の壁部の内面に、電線保持具の台座部を差し込んで固定する台座固定溝を形成した。これにより、ケースに穴を開けることなく電線保持具を固定することが出来る。その結果、ケースの防水性と、電線取出口の強度を確保することが出来る。更に、電線保持具として、従来から用いられているものを利用可能であることから、製造コストの低減を図ることが出来る。
【図面の簡単な説明】
【００１８】
【図１】本発明の一実施形態としての電気接続箱の要部と、電線保持具とを示す分解斜視図。
【図２】図１に示した電気接続箱の要部の下面図。
【図３】電線保持具の台座固定溝への固定状態を示す斜視図。
【図４】電線のケースへの固定状態を示す斜視図。
【図５】電線取出口の上面を電線と共に示す斜視図。
【発明を実施するための形態】
【００１９】
以下、本発明の実施形態について、図面を参照しつつ説明する。
【００２０】
先ず、図１に、本発明の一実施形態としての電気接続箱１０を構成する、アッパケース１２を示す。なお、図１は、アッパケース１２を上下反転して示したものであり、図中上方が、電気接続箱１０の車両への組付状態において鉛直下方に位置される。従って、アッパケース１２は、鉛直下方に開口する形状とされている。
【００２１】
アッパケース１２は、合成樹脂から形成されており、外部に開口する電線取出口１４が一体形成されている。電線取出口１４には、上板部１６から延びる壁部１８の内面２０に、一対のガイド壁部２２，２２が対向して形成されており、これらガイド壁部２２，２２の内部に、台座固定溝２４が形成されている。
【００２２】
ガイド壁部２２，２２は、壁部１８の内面２０から電線取出口１４の内側に突出すると共に、互いに接近する方向に屈曲された略Ｌ字の断面形状をもって、壁部１８の上板部１６からの延出方向に沿って延出されている。ガイド壁部２２，２２は、壁部１８の上下方向の略全長に亘って形成されており、上板部１６から、壁部１８の端縁部２６に亘って形成されている。これにより、台座固定溝２４は、略長手矩形の断面形状をもって壁部１８の上板部１６からの延出方向に延出して、壁部１８の略全長に亘って形成されており、台座固定溝２４の開口部２８が、壁部１８の端縁部２６に開口されている。従って、台座固定溝２４は、鉛直下方に開口されている。
【００２３】
ガイド壁部２２，２２は、互いに隙間を隔てて対向されている。これにより、台座固定溝２４には、ガイド壁部２２，２２の隙間によって、スリット３０が形成されている。スリット３０は、台座固定溝２４の幅方向（図２中、左右方向）の中央部分で、台座固定溝２４の全長に亘って形成されており、台座固定溝２４の開口部２８側の端部に開放されている。
【００２４】
なお、壁部１８は、上板部１６からの突出基端部において、電線取出口１４の内方に突出された内方突出部３２を有する段付形状とされている。そして、ガイド壁部２２，２２におけるスリット３０側の端縁部で、上板部１６側の基端部には、内方突出部３２と連結された基端壁部３４が形成されている。
【００２５】
さらに、台座固定溝２４の内面を形成する壁部１８の内面２０と、ガイド壁部２２，２２の内面３６，３６には、複数（本実施形態においては、６つ）の圧接リブ３８が形成されている。これら圧接リブ３８は、壁部１８の内面２０およびガイド壁部２２，２２の内面３６，３６から台座固定溝２４の内方に突出すると共に、台座固定溝２４の延出方向に延出して形成されている。なお、圧接リブ３８の開口部２８側の端縁部は、台座固定溝２４の延出方向で、開口部２８よりも上板部１６側に位置されており、開口部２８の開口寸法を確保することで、後述する電線保持具４０の台座部４４の差し込みが容易に行えるようにされている。
【００２６】
複数の圧接リブ３８のうち、２つの圧接リブ３８が、ガイド壁部２２，２２の内面３６，３６において、台座固定溝２４の短辺方向（図２中、上下方向）の中央部分に形成されて、台座固定溝２４の長辺方向（図２中、左右方向）で対向位置されている。また、ガイド壁部２２，２２の内面３６，３６のそれぞれにおけるスリット３０側の端縁部に圧接リブ３８，３８が形成されていると共に、壁部１８の内面２０においてそれらの圧接リブ３８，３８と対向する位置に、圧接リブ３８，３８がそれぞれ形成されており、ガイド壁部２２の内面３６に形成された圧接リブ３８と、壁部１８の内面２０に形成された圧接リブ３８が、台座固定溝２４の短辺方向で対向位置されている。
【００２７】
図１に示したように、台座固定溝２４には、電線保持具４０が差込可能とされている。電線保持具４０としては、従来から用いられている各種のものを用いることが出来る。本実施形態の電線保持具４０は、合成樹脂から形成されており、電線固定部としての結束バンド４２が、台座部４４に設けられた構造とされている。結束バンド４２は、可撓性を有する帯形状とされており、一方の端部が、台座部４４に設けられた係合部４６と連結されていると共に、他方の端部が自由端部４８とされている。また、台座部４４は、全体として略矩形の外形を有する板形状とされており、結束バンド４２と反対側の面には、係止片５０を備えたロック部５２が形成されている。
【００２８】
このような電線保持具４０は、通常、結束バンド４２が図示しないワイヤハーネス等の電線に券回されると共に、自由端部４８が係合部４６の挿通孔５４に挿通されて、結束バンド４２の表面に形成された図示しない凹凸部分に、挿通孔５４内に形成された図示しない係合爪が係合されることで、結束バンド４２が電線への巻回状態で固定されて、電線保持具４０が電線に取り付けられる。そして、台座部４４に形成されたロック部５２が電気接続箱の壁面等に設けられた図示しないロック部と係合されて電気接続箱等に取り付けられることにより、電線を電気接続箱等に固定することが可能とされている。
【００２９】
そして、本実施形態においては、図３および図４に示すように、結束バンド４２が電線としてのワイヤハーネス５６（図４参照）に巻回されてワイヤハーネス５６に取り付けられた電線保持具４０の台座部４４が、台座固定溝２４に差し込まれるようになっている。なお、ワイヤハーネス５６は、電気接続箱１０と接続されるものに限定されず、電気接続箱１０と接続されることなく、電気接続箱１０の近辺に配索されたものでも良いし、複数本が束ねられたものでも良い。台座部４４は、結束バンド４２を台座固定溝２４のスリット３０に挿通しつつ、台座固定溝２４の開口部２８から差し込まれる。台座部４４は、台座固定溝２４の圧接リブ３８と圧接しつつ台座固定溝２４に差し込まれることで台座固定溝２４内に固定されるようになっている。なお、台座部４４は、台座固定溝２４の基端壁部３４（図１等参照）に当接することによって、台座固定溝２４への差し込み量が規定されるようになっている。そして、スリット３０に挿通された結束バンド４２が、スリット３０を通じて台座固定溝２４の外部に突出されて、電線取出口１４内に配設される。このようにして、電線保持具４０がアッパケース１２における電線取出口１４の壁部１８に取り付けられて、電線保持具４０に保持されたワイヤハーネス５６が、電線取出口１４内でアッパケース１２に固定されると共に、電線取出口１４からアッパケース１２の外部に取り出されるようになっている。
【００３０】
なお、図５に示すように、アッパケース１２は、電気接続箱１０の車両への取付状態で、鉛直上方に位置されて、鉛直下方から図示しないロアケースが組み付けられることで、鉛直下方への開口がロアケースで塞がれる。これにより、電線取出口１４の上板部１６が鉛直上方に位置されて、電線取出口１４内に配設された電線保持具４０の鉛直上方には、上板部１６が配設されている。
【００３１】
本実施形態に従う構造とされた電気接続箱１０においては、ワイヤハーネス５６に取り付けられた電線保持具４０が、電線取出口１４の壁部１８の内面２０に設けられた台座固定溝２４に差し込まれることで、アッパケース１２に固定されるようになっている。これにより、クランプ等のように、ケースの壁部に貫通孔を設けて差し込む必要がなく、アッパケース１２に貫通孔を形成すること無しに電線保持具４０を固定することが出来る。その結果、電気接続箱１０の防水性を確保することが出来る。
【００３２】
また、アッパケース１２に貫通孔を形成する必要がないことから、壁部１８の強度を確保することが出来る。従って、特に本実施形態のように、アッパケース１２の端部に形成される電線取出口１４の壁部１８等のように、強度が低下し易い部位でも、強度を確保しつつワイヤハーネス５６を固定することが出来る。更に、壁部１８の内面２０に台座固定溝２４が形成されており、電線保持具４０が電線取出口１４の内部に配設されることから、電線取出口１４の大型化を招くこともなく、スペース効率良くワイヤハーネス５６を固定することが出来る。
【００３３】
また、台座固定溝２４が、壁部１８の上板部１６からの突出方向に延出されており、電線保持具４０に固定されて、壁部１８に沿って配設されるワイヤハーネス５６の延出方向に直交して延出されている。これにより、ワイヤハーネス５６の延出方向の変位に対して、電線保持具４０をガイド壁部２２，２２で係止することにより、ワイヤハーネス５６を強固に固定することが出来る。
【００３４】
さらに、台座固定溝２４がアッパケース１２に形成されて、アッパケース１２の開口方向と等しい鉛直下方に開口されている。これにより、台座固定溝２４をアッパケース１２に容易に一体形成することが出来る。そして、台座固定溝２４に対して、電線保持具４０の台座部４４が、アッパケース１２の開口方向となる鉛直下方から差し込まれるようになっていることから、台座部４４の差し込みを容易に行なうことが出来る。また、電線５６がアッパケース１２側で保持されることから、図示しないロアケースのアッパケース１２への組み付けを容易に行なうことが出来る。
【００３５】
更にまた、電線保持具４０として、従来から用いられているものを利用することが出来る。これにより、優れたコスト効率を得ることが出来る。そして、電線保持具４０の台座部４４を台座固定溝２４内の圧接リブ３８に圧接させることにより、簡易な構造で、電線保持具４０を台座固定溝２４内に固定することが出来る。
【００３６】
以上、本発明の実施形態について詳述したが、本発明はその具体的な記載によって限定されない。例えば、台座固定溝の長さ寸法や延出方向は、電線保持具の差し込みの作業性や、電線保持具で保持される電線の延出方向等を考慮して適宜に設定可能である。従って、台座固定溝は、必ずしも電線取出口の内壁の端縁部まで延出されている必要は無い。また、台座固定溝の延出方向は、内壁の立ち上がり方向に対して傾斜したり、直交して設定されても良い。
【００３７】
更にまた、前記実施形態においては、台座固定溝がアッパケースに形成されていたが、台座固定溝をロアケースに形成することも勿論可能である。また、台座固定溝の個数も限定されることはなく、複数の台座固定溝を形成しても良い。
【００３８】
また、電線保持具としては、従来から用いられている各種のものが採用可能であり、例えば、電線を固定する電線固定部として、ヒンジで開閉可能とされた硬質のクリップで電線を囲んで固定するものを用いる等しても良い。
【符号の説明】
【００３９】
１０：電気接続箱、１２：アッパケース、１４：電線取出口、１８：壁部、２０：内面、２４：台座固定溝、２６：端縁部、２８：開口部、３０：スリット、３８：圧接リブ、４０：電線保持具、４２：結束バンド（電線固定部）、４４：台座部、５６：ワイヤハーネス（電線）
【図１】
2014110688.tif 000003
【図２】
2014110688.tif 000004
【図３】
2014110688.tif 000005
【図４】
2014110688.tif 000006
【図５】
2014110688.tif 000007